(57)【要約】  本体（１）内でカード（２０）に対して情報の読み取りまたは書き込みの処理を行う磁気ヘッド（４ａ）およびＩＣ接点ユニット（４ｂ）を有したカード処理装置（１００）に、カード挿入排出口ユニット（１０）を備える。カード挿入排出口ユニット(１０)は、カード処理装置（１００）の本体（１）の外側に装着されて、カード挿入排出口を構成し、カード(２０)を挿入および排出する開口部（１０ａ）と、開口部（１０ａ）を取り囲む補強部材(１２)と、補強部材（１２）を覆う樹脂部（１４）とを備えている。
2014037975.tif 000002
【特許請求の範囲】
【請求項１】
カード処理装置の本体の外側に装着されて、カード挿入排出口を構成するカード挿入排出口ユニットであって、
カードを挿入および排出する開口部と、
前記開口部を取り囲む補強部材と、
前記補強部材を覆う樹脂部と、を備えた、ことを特徴とするカード挿入排出口ユニット。
【請求項２】
請求項１に記載のカード挿入排出口ユニットにおいて、
前記補強部材の材質は、鉄、ステンレス、フェライト、パーマロイ、珪素鋼鈑、またはアルミニウムである、ことを特徴とするカード挿入排出口ユニット。
【請求項３】
請求項１または請求項２に記載のカード挿入排出口ユニットにおいて、
前記樹脂部は、
前記補強部材を嵌め込むための溝部を形成する第１樹脂と、
前記溝部内に前記補強部材を埋設する第２樹脂と、を含む、ことを特徴とするカード挿入排出口ユニット。
【請求項４】
請求項１ないし請求項３のいずれかに記載のカード挿入排出口ユニットにおいて、
前記補強部材は、前記開口部を取り囲む芯材と、該芯材を取り囲む線材と、を含む、ことを特徴とするカード挿入排出口ユニット。
【請求項５】
請求項１ないし請求項４のいずれかに記載のカード挿入排出口ユニットにおいて、
前記補強部材は、導電性線材を含み、
前記導電性線材に電流を流す電流供給部をさらに備えた、ことを特徴とするカード挿入排出口ユニット。
【請求項６】
請求項５に記載のカード挿入排出口ユニットにおいて、
前記導電性線材に流した電流の導通状態を監視する導通監視部をさらに備えた、ことを特徴とするカード挿入排出口ユニット。
【請求項７】
請求項１ないし請求項６のいずれかに記載のカード挿入排出口ユニットにおいて、
カード処理装置の本体のカード入出口部に対して着脱自在である、ことを特徴とするカード挿入排出口ユニット。
【請求項８】
請求項１ないし請求項７のいずれかに記載のカード挿入排出口ユニットと、
本体内でカードに対して情報の読み取りまたは書き込みの処理を行う情報処理部と、
本体内でカードを搬送するカード搬送部と、を備えた、ことを特徴とするカード処理装置。
【発明の詳細な説明】
【技術分野】
【０００１】
本発明は、カード挿入排出口ユニットおよびそれを備えたカード処理装置に関する。
【背景技術】
【０００２】
ＡＴＭ（現金自動預金支払機）などの取引処理装置には、クレジットカードやキャッシュカードなどのカードに対して情報の処理を行うカード処理装置が搭載されている。このカード処理装置は、カード挿入排出口から挿入されたカードを本体内に取り込んで、カードの情報記録部に対して、情報の読み取りや書き込みの処理を行う。そして、処理終了後に、カードを本体内からカード挿入排出口へ排出する。【０００３】
取引処理装置では、カード処理装置の本体の外側に突出するカード挿入排出口部分を、故意に破壊する犯罪がある。これは、悪意者が破壊したカード挿入排出口部分で正規のカードを詰まらせて、カードの所有者が取引処理装置から離れた隙に、正規のカードを盗み取るなどの目的で行われる。【０００４】
この対策として、カード挿入排出口部分をダイキャストなどの強固な金属で形成する方法がある。また、特許文献１に開示されているように、カード挿入排出口部分を構成する上下２つの樹脂製フレームに、金属製の分離阻止板を取り付ける方法がある。【０００５】
カード挿入排出口部分をダイキャストなどの金属製にした場合、樹脂製に比べて耐破壊性は高まるが、非常に高価になり、細かなデザインを施すのが難しい。上下２つの樹脂製フレームに金属製の分離阻止板を取り付けた場合は、安価であるが、分離阻止板をずらしたりはずしたりして、樹脂部分が破壊されるおそれがある。
【先行技術文献】
【特許文献】
【０００６】
【特許文献１】特開平８−３０６１０６号公報
【発明の概要】
【発明が解決しようとする課題】
【０００７】
本発明の課題は、破壊に対する堅牢性が高くて安価なカード挿入排出口ユニットおよびカード処理装置を提供することである。
【課題を解決するための手段】
【０００８】
本発明によるカード挿入排出口ユニットは、カード処理装置の本体の外側に装着されて、カード挿入排出口を構成するカード挿入排出口ユニットであって、  カードを挿入および排出する開口部と、開口部を取り囲む補強部材と、補強部材を覆う樹脂部とを備える。【０００９】
また、本発明によるカード処理装置は、上記カード挿入排出口ユニットと、本体内でカードに対して情報の読み取りまたは書き込みの処理を行う情報処理部と、本体内でカードを搬送するカード搬送部とを備える。【００１０】
上記によると、カード挿入排出口ユニットが補強部材で補強され、補強部材がずらされたり外されたりするのを樹脂部で防ぐことができる。このため、カード挿入排出口ユニットの破壊に対する堅牢性を高くすることが可能となる。また、カード挿入排出口ユニット全体を金属製にした場合よりも、安価にすることができる。さらに、カード挿入排出口ユニットの外装が樹脂製であるため、該ユニットに細かなデザインを容易に施すことができる。【００１１】
また、本発明では、上記カード挿入排出口ユニットにおいて、補強部材の材質は、鉄、ステンレス、フェライト、パーマロイ、珪素鋼鈑、またはアルミニウムであってもよい。【００１２】
これにより、カード挿入排出口ユニットの強度をより高めることができる。【００１３】
また、本発明では、上記カード挿入排出口ユニットにおいて、樹脂部は、補強部材を嵌め込むための溝部を形成する第１樹脂と、溝部内に補強部材を埋設する第２樹脂とを含んでいてもよい。【００１４】
これにより、カード挿入排出口ユニットの第１樹脂で形成した溝部に補強部材を嵌め込んでから、溝部に第２樹脂を流し込むことで、補強部材を樹脂部に容易に埋設することができる。【００１５】
また、本発明では、上記カード挿入排出口ユニットにおいて、補強部材は、開口部を取り囲む芯材と、該芯材を取り囲む線材とを含んでいてもよい。【００１６】
これにより、補強部材の強度を上げて、カード挿入排出口ユニットの破壊に対する堅牢性を一層高くすることができる。【００１７】
また、本発明では、上記カード挿入排出口ユニットにおいて、補強部材は、導電性線材を含んでいて、該導電性線材に電流を流す電流供給部をさらに備えてもよい。【００１８】
これにより、電流供給部によって導電性線材に電流を流すことで、カード挿入排出口ユニットから磁界が発生する。このため、導電性線材に損傷や断線がない正常時には、外部から磁界測定器によりカード挿入排出口ユニットの近傍で所定強度の磁界を計測して、異常がないことを検知することができる。また、カード挿入排出口ユニットが破壊されて、導電性線材の損傷や断線などが生じた異常時には、外部から磁界測定器によりカード挿入排出口ユニットの近傍で正常時と異なる強度の磁界を計測して、異常があることを検知することができる。【００１９】
また、本発明では、上記カード挿入排出口ユニットにおいて、導電性線材に流した電流の導通状態を監視する導通監視部をさらに備えてもよい。【００２０】
これにより、導電性線材に損傷がないカード挿入排出口ユニットの正常時には、導電性線材の導通状態が正常になるので、内部の導通監視部で異常がないことを検知することができる。また、カード挿入排出口ユニットが破壊されて、導電性線材の損傷や断線などが生じた異常時には、導電性線材の導通レベルが低下したり導通が途絶えたりするので、内部の導通監視部で異常があることを検知することができる。【００２１】
さらに、本発明では、上記カード挿入排出口ユニットが、カード処理装置の本体のカード入出口部に対して着脱自在であってもよい。【００２２】
これにより、カード挿入排出口ユニットをカード入出口部から離脱させて、該ユニットおよびカード入出口部などの保守作業を容易に行うことができる。
【発明の効果】
【００２３】
本発明によれば、破壊に対する堅牢性が高くて安価なカード挿入排出口ユニットおよびカード処理装置を提供することが可能となる。
【図面の簡単な説明】
【００２４】
【図１】図１は、本発明の第１実施形態によるカード処理装置の概略構造図である。
【図２】図２は、図１のカード処理装置の本体とカード挿入排出口ユニットの着脱状態図である。
【図３】図３は、図１のカード挿入排出口ユニットの構造図である。
【図４】図４は、本発明の第２実施形態によるカード処理装置の電気ブロック図である。
【図５】図５は、本発明の第２実施形態によるカード処理装置の概略構造図である。
【図６】図６は、図５のカード処理装置の本体とカード挿入排出口ユニットの着脱状態図である。
【図７】図７は、図５のカード挿入排出口ユニットの補強部材の組み込み工程図である。
【図８】図８は、図５のカード挿入排出口ユニットの異常検知状態図である。
【図９】図９は、本発明の他の実施形態によるカード挿入排出口ユニットの構造図である。
【図１０】図１０は、本発明の他の実施形態によるカード挿入排出口ユニットの構造図である。
【図１１】図１１は、本発明の他の実施形態によるカード挿入排出口ユニットの構造図である。
【発明を実施するための形態】
【００２５】
以下、本発明の実施形態につき、図面を参照しながら説明する。各図において、同一の部分または対応する部分には、同一符号を付してある。
【００２６】
まず、本発明の第１実施形態によるカード処理装置１００の構造を、図１〜図３を参照しながら説明する。
【００２７】
図１に示すカード処理装置１００は、たとえば、金融機関に設置されたＡＴＭに搭載される。カード処理装置１００は、顧客が所有するカード２０を受け付けて、カード２０の情報記録部に対して情報の処理を行うカードリーダから構成されている。カード２０は、磁気カード、ＩＣカード、または磁気ストライプ付きＩＣカードから成る。
【００２８】
カード処理装置１００の本体１の内部には、磁気ヘッド４ａ、ＩＣ接点ユニット４ｂ、搬送ローラ５ａ、およびカード位置検知センサ６が設けられている。
【００２９】
磁気ヘッド４ａは、カード２０の磁気ストライプから磁気情報を読み取る。ＩＣ接点ユニット４ｂは、カード２０のＩＣ接点部に接触して、カード２０のＩＣチップに対して情報の読み取りや書き込みの処理を行う。
【００３０】
搬送ローラ５ａは上下一対で、カード２０の搬送方向Ｔ、Ｓに複数対設けられている。搬送ローラ５ａは、図示しないモータの駆動力で回転して、上下方向から挟持したカード２０を往復搬送する。
【００３１】
カード位置検知センサ６は、フォトセンサから構成され、カード２０の搬送方向Ｔ、Ｓに複数設けられている。カード位置検知センサ６は、カード２０で遮光されることにより、本体１内における磁気カード２０の位置を検知する。
【００３２】
本体１の前面１ｆには、カード入出口部１ａがＴ方向に向かって凸状に設けられている。カード入出口部１ａの中央には、入出口１ｂが形成されている。入出口１ｂは、本体１内に連通している。カード入出口部１ａの両側部には、図２（ａ）に示すように、ねじ孔１ｃが形成されている。
【００３３】
カード入出口部１ａの先端の凸部１ｅには、カード２０の挿入検知用のマイクロスイッチ８ａと小型磁気ヘッド８ｂが設けられている。マイクロスイッチ８ａのアクチュエータ８ｃは、図２（ａ）で左側から入出口１ｂ内に突出している。入出口１ｂに挿入されたカード２０の側縁がアクチュエータ８ｃに当接することで、マイクロスイッチ８ａはＯＮ状態になり、所定の幅のカード２０が挿入されたことが検知される。
【００３４】
入出口１ｂ内には、小型磁気ヘッド８ｂが下側から突出している。小型磁気ヘッド８ｂは、入出口１ｂに挿入されたカード２０の磁気ストライプを検出することで、磁気情報が記録されたカード２０が挿入されたことを検知する。
【００３５】
カード挿入排出口ユニット１０の中央には、カード２０を挿入および排出する開口部１０ａが形成されている。開口部１０ａは、図２（ａ）で本体１側に設けられた凹部１０ｐと、凹部１０ｐの底から本体１と反対側へ貫通した矩形穴１０ｂとから構成されている（図２（ｂ）も参照）。
【００３６】
矩形穴１０ｂの大きさは、凹部１０ｐの大きさより小さくなっている。凹部１０ｐの大きさは、カード入出口部１ａの先端の凸部１ｅの大きさより大きくなっている。カード挿入排出口ユニット１０の両側部には、貫通孔１０ｃが形成されている。
【００３７】
カード挿入排出口ユニット１０には、図１および図３に示すように、補強部材１２が設けられている。補強部材１２の材質は、たとえば、鉄、ステンレス、フェライト、パーマロイ、珪素鋼鈑、またはアルミニウムである。補強部材１２は、板金、焼結体、または巻線体などから構成されている。
【００３８】
カード挿入排出口ユニット１０を裏側（本体１への装着側）から見ると、図３（ａ）に示すように、補強部材１２は、矩形状に形成されていて、開口部１０ａの凹部１０ｐを取り囲んでいる。他の例として、補強部材１２で開口部１０ａの矩形穴１０ｂも取り囲んでもよい。
【００３９】
補強部材１２の全周囲は、図１および図３（ａ）、（ｂ）に示すように、樹脂部１４で覆われている。図３（ｂ）は、カード挿入排出口ユニット１０の縦断面図である。
【００４０】
樹脂部１４は、熱可塑性を有する合成樹脂製で、カード挿入排出口ユニット１０のフレーム１０ｆを構成している。つまり、カード挿入排出口ユニット１０は、外装が樹脂製で、内部に補強部材１２が埋設されている。
【００４１】
図２（ａ）に示す、本体１とカード挿入排出口ユニット１０の分離状態から、カード入出口部１ａの凸部１ｅとカード挿入排出口ユニット１０の凹部１０ｐとを嵌め合わせる。すると、カード入出口部１ａの各ねじ孔１ｃとカード挿入排出口ユニット１０の各貫通孔１０ｃとが連通する。
【００４２】
このため、図示しないドライバなどにより、ねじ１６を各貫通孔１０ｃへ通して各ねじ孔１ｃに螺合することで、図２（ｂ）に示すように、カード挿入排出口ユニット１０が本体１の外側に装着される。
【００４３】
この装着状態では、図１に示すように、カード挿入排出口ユニット１０が、カード入出口部１ａ、小型磁気ヘッド８ｂ、およびマイクロスイッチ８ａを外側から覆う。また、補強部材１２が、カード入出口部１ａの周囲を囲む。
【００４４】
さらに、カード挿入排出口ユニット１０の開口部１０ａと、カード入出口部１ａの入出口１ｂとが連通する。このため、カード２０を開口部１０ａへＳ方向に挿入することで、カード２０が入出口１ｂを通って、本体１内に進入して行く。
【００４５】
カード２０の先端が本体１内の搬送ローラ５ａに挟持されると、搬送ローラ５ａによりカード２０が本体１内に取り込まれる。そして、本体１内で搬送ローラ５ａによりカード２０が搬送されて、磁気ヘッド４ａやＩＣ接点ユニット４ｂによりカード２０に対して情報の読み書き処理が行われる。
【００４６】
その処理終了後、カード２０は、搬送ローラ５ａによりＴ方向へ搬送されて、カード入出口部１ａを通ってカード挿入排出口ユニット１０の開口部１０ａに排出される。
【００４７】
カード処理装置１００の保守時には、図２（ｂ）の装着状態から、ドライバなどにより、ねじ１６を各ねじ孔１ｃと各貫通孔１０ｃから外す。すると、カード挿入排出口ユニット１０が、本体１のカード入出口部１ａから離脱可能になる。
【００４８】
このため、本体１からカード挿入排出口ユニット１０を外すことで、カード入出口部１ａ、マイクロスイッチ８ａ、小型磁気ヘッド８ｂ、およびカード挿入排出口ユニット１０の修理、交換、および清掃などの保守作業がし易くなる。
【００４９】
上記第１実施形態によると、カード挿入排出口ユニット１０において、カード２０を挿入および排出する開口部１０ａが補強部材１２で取り囲まれている。このため、カード挿入排出口ユニット１０が補強部材１２により補強される。  特に、補強部材１２の材質を、鉄、ステンレス、フェライト、パーマロイ、珪素鋼鈑、またはアルミニウムにすることで、カード挿入排出口ユニット１０の開口部１０ａの周囲の強度を高めることができる。また、補強部材１２が樹脂部１４で覆われているので、補強部材１２がずらされたり外されたりするのを防ぐことができる。よって、カード挿入排出口ユニット１０の破壊に対する堅牢性を高くすることが可能となる。
【００５０】
また、カード挿入排出口ユニット１０全体を金属製にした場合よりも、安価にすることができる。また、カード挿入排出口ユニット１０の外装が樹脂製であるため、該ユニット１０に細かなデザインを容易に施すことができる。
【００５１】
さらに、カード処理装置１００の本体１のカード入出口部１ａに対して、カード挿入排出口ユニット１０が着脱自在になっている。このため、カード挿入排出口ユニット１０をカード入出口部１ａから離脱させて、該ユニット１０およびカード入出口部１ａなどの保守作業を容易に行うことができる。つまり、カード処理装置１００のカード挿入排出口部分の保守性を高めることが可能となる。
【００５２】
次に、本発明の第２実施形態によるカード処理装置１００を、図４〜図７を参照しながら説明する。
【００５３】
図４に示すように、カード処理装置１００の電気的構成として、本体１には、制御部２、記憶部３、情報処理部４、カード搬送部５、カード位置検知センサ６、ホストインタフェイス７、カード挿入検知センサ８、およびシャッタ駆動部９が備わっている。
【００５４】
制御部２、記憶部３、情報処理部４、カード搬送部５、カード位置検知センサ６、およびホストインタフェイス７は、本体１の内部に設けられている。カード挿入検知センサ８およびシャッタ駆動部９は、本体１の外側部に設けられている。
【００５５】
制御部２は、マイクロコンピュータから構成され、各部の動作を制御する。記憶部３は、メモリから構成され、各種の情報を記憶している。情報処理部４は、図５に示す磁気ヘッド４ａ、ＩＣ接点ユニット４ｂ、およびこれらの駆動回路（図示省略）から構成されている。カード搬送部５は、図５に示す搬送ローラ５ａと、該ローラ５ａを回転させるためのモータや駆動回路（図示省略）から構成されている。
【００５６】
制御部２は、各カード位置検知センサ６の出力状態に基づいて、本体１内における磁気カード２０の位置を判断する。ホストインタフェイス７は、ＡＴＭに対して情報を送受信する回路から構成されている。
【００５７】
カード挿入検知センサ８は、図５（ｂ）に示すマイクロスイッチ８ａおよび小型磁気ヘッド８ｂから構成されている。制御部２は、カード挿入検知センサ８の出力状態に基づいて、カード挿入排出口ユニット１０’へのカード２０の挿入を検知する。
【００５８】
シャッタ駆動部９は、図５に示すシャッタユニット９ｂに設けられ、シャッタ９ａを動作させるためのソレノイドや駆動回路（図示省略）から構成されている。シャッタ９ａを上下動させることにより、入出口１ｂが閉鎖または開放される。
【００５９】
図５では、シャッタ９ａが上昇して、入出口１ｂを閉塞した状態を示している。シャッタ９ａが下降して、入出口１ｂが開放されると（図示省略）、カード２０がシャッタ９ａ上を通過可能になる。
【００６０】
カード挿入排出口ユニット１０’には、図４に示すように、電流制御部１１ａ、電流供給部１１ｂ、導通監視部１１ｃ、および導電性線材１２ｂが備わっている。電流制御部１１ａと導通監視部１１ｃは、マイクロコンピュータから構成されている。
【００６１】
電流制御部１１ａ、電流供給部１１ｂ、および導通監視部１１ｃは、図５に示す基板１５に実装されている。基板１５は、カード挿入排出口ユニット１０’の上部に設けられた基板収納部１０ｄ内に収納されている。
【００６２】
カード挿入排出口ユニット１０’の補強部材１２’は、芯材１２ａと導電性線材１２ｂから構成されている。芯材１２ａは、たとえば上下一対の板金から成る。芯材１２ａの材質は、たとえば、鉄、ステンレス、フェライト、パーマロイ、珪素鋼鈑、またはアルミニウムである。導電性線材１２ｂは、たとえば銅線から成り、図７（２ａ）、（２ｂ）に示すように、矩形を描くように巻回されて、コイル状になっている。
【００６３】
補強部材１２’は、カード挿入排出口ユニット１０’の樹脂部１４’に組み付けられる。樹脂部１４’は、熱可塑性を有する合成樹脂である第１樹脂１４ａと、短時間で硬化するエポキシ（接着剤）などの硬質合成樹脂である第２樹脂１４ｂとから構成されている。
【００６４】
第１樹脂１４ａにより、図７（１ａ）、（１ｂ）に示すように、カード挿入排出口ユニット１０’のフレーム１０ｆ、基板収納部１０ｄ、開口部１０ａ、および溝部１０ｍが形成されている。溝部１０ｍは、開口部１０ａを取り囲むように矩形状に形成されていて、カード挿入方向Ｓに開口している。
【００６５】
図７（１ａ）、（２ａ）、（３ａ）、（４ａ）は、カード挿入排出口ユニット１０’を裏側から見た図である。図７（１ｂ）、（２ｂ）、（３ｂ）、（４ｂ）は、カード挿入排出口ユニット１０’の縦断面図である。
【００６６】
図７（２ａ）、（２ｂ）に示すように、溝部１０ｍにコイル状の導電性線材１２ｂを嵌め込んだ後、導電性線材１２ｂの両端のリード部１２ｄを、基板１５に接続する（図５（ｂ）も参照）。
【００６７】
そして、硬化前の第２樹脂１４ｂを溝部１０ｍに流し込んで、第２樹脂１４ｂを硬化させ、図７（３ａ）、（３ｂ）に示すように、導電性線材１２ｂを埋設する。これにより、導電性線材１２ｂが第２樹脂１４ｂで覆われ、第２樹脂１４ｂが第１樹脂１４ａで覆われる。
【００６８】
さらに、図７（４ａ）、（４ｂ）示すように、カード挿入排出口ユニット１０’の内側に、上下一対の芯材１２ａを装着する。この際、各芯材１２ａの水平部１２ｈを、図６（ａ）および図７（４ａ）、（４ｂ）に示すように、凹部１０ｐ内に嵌め込んで、凹部１０ｐ内に設けた爪１０ｔで保持する。
【００６９】
また、各芯材１２ａの垂直部１２ｖの上下端に設けた各ロック爪１２ｎを、フレーム１０ｆに設けたロック孔１０ｒに係合させる。これにより、各芯材１２ａがフレーム１０ｆ内に固定されて、開口部１０ａを上下から取り囲む。また、導電性線材１２ｂが各芯材１２ａの水平部１２ｈおよび開口部１０ａを取り囲む。
【００７０】
上記のように、補強部材１２’が組み付けられたカード挿入排出口ユニット１０’は、図６（ｂ）に示すように、ねじ１６によりカード処理装置１００の本体１の外側に装着される。
【００７１】
この装着状態では、図５に示すように、カード挿入排出口ユニット１０’が、カード入出口部１ａ、小型磁気ヘッド８ｂ、およびマイクロスイッチ８ａを外側から覆う。また、補強部材１２’が、カード入出口部１ａの周囲を囲む。さらに、開口部１０ａと入出口１ｂとが連通する。
【００７２】
また、図６（ｂ）のように、本体１から露出するハーネス１８の凸形コネクタ１８ａを、基板１５に実装された凹形コネクタ１８ｂに嵌合することで、本体１とカード挿入排出口ユニット１０’とが電気的に接続される。
【００７３】
本体１からハーネス１８とコネクタ１８ａ、１８ｂを介して基板１５に電源が供給されると、図４に示す電流制御部１１ａは、電流供給部１１ｂにより導電性線材１２ｂに所定の大きさの電流を流す。導通監視部１１ｃは、導電性線材１２ｂに流した電流の導通状態を監視する。
【００７４】
導電性線材１２ｂに損傷や断線が無い正常時は、導電性線材１２ｂの導通状態が正常になるので、導通監視部１１ｃにより異常のないことが検知される。
【００７５】
一方、カード挿入排出口ユニット１０’が破壊されて、導電性線材１２ｂの損傷や断線などが生じた異常時には、導電性線材１２ｂの導通レベル（電流値または電圧値）が低下したり、導通が途絶えたりする。このため、導通監視部１１ｃにより異常のあることが検知される。導通監視部１１ｃで検知された異常は、電流制御部１１ａを介して本体１の制御部２に通知され、さらにホストインタフェイス７を介してＡＴＭにも通知される。
【００７６】
また、電流供給部１１ｂによりコイル状の導電性線材１２ｂに電流を流すことで、カード挿入排出口ユニット１０’から磁界が発生する。このため、保守員が、図８に示すように、ガウスメータなどの磁界測定器５０を、ＡＴＭの外部からカード挿入排出口ユニット１０’に近づけることで、カード挿入排出口ユニット１０’から発生する磁界が磁界測定器５０で計測できる。
【００７７】
そして、導電性線材１２ｂに損傷や断線がない正常時には、磁界測定器５０で所定強度の磁界が計測されるので、保守員は異常のないことを検知できる。
【００７８】
一方、カード挿入排出口ユニット１０’が破壊されて、導電性線材１２ｂの損傷や断線などが生じた異常時には、磁界測定器５０で正常時と異なる強度の磁界が計測されるので、保守員は異常のあることを検知できる。
【００７９】
また、カード処理装置１００の保守時に、図６（ｂ）の装着状態から、ドライバなどでねじ１６を外すことで、カード挿入排出口ユニット１０’が本体１から離脱可能となる。また、凸形コネクタ１８ａを凹形コネクタ１８ｂから抜くことで、本体１とカード挿入排出口ユニット１０’とが電気的に切断される。
【００８０】
上記第２実施形態によると、カード挿入排出口ユニット１０’が補強部材１２’で補強され、補強部材１２’がずらされたり外されたりするのを樹脂部１４’で防ぐことができる。また、カード挿入排出口ユニット１０’の矩形穴１０ｂから異物が挿入されて、開口部１０ａが破壊されるのを芯材１２ａで防ぐことができる。よって、カード挿入排出口ユニット１０’の破壊に対する堅牢性を高くすることが可能となる。また、カード挿入排出口ユニット１０’の外装が樹脂製であるため、安価で、細かなデザインを容易に施すことができる。
【００８１】
また、補強部材１２’を芯材１２ａと導電性線材１２ｂから構成することで、補強部材１２’の強度を上げて、カード挿入排出口ユニット１０’の破壊に対する堅牢性を一層高くすることができる。
【００８２】
また、カード挿入排出口ユニット１０’の第１樹脂１４ａで形成した溝部１０ｍに導電性線材１２ｂを嵌め込んでから、第２樹脂１４ｂを溝部１０ｍに流し込むことで、導電性線材１２ｂを樹脂部１４’に容易に埋設することができる。
【００８３】
また、電流供給部１１ｂにより導電性線材１２ｂに電流を流すことで、カード挿入排出口ユニット１０’から磁界が発生する。このため、カード処理装置１００をＡＴＭに組み込んだ状態で、外部から磁界測定器５０によりカード挿入排出口ユニット１０’近傍の磁界を計測することで、該ユニット１０’の破壊による異常の有無を検知することができる。
【００８４】
また、導電性線材１２ｂに流した電流の導通状態を内部の導通監視部１１ｃで監視して、カード挿入排出口ユニット１０’の破壊による異常の有無を検知することができる。
【００８５】
また、導電性線材１２ｂが樹脂部１４’に埋設されているので、図８に示すようなＡＴＭの筐体前面に穴を空けて、棒などで導電性線材１２ｂを位置ずれさせたり変形させたりするなどの、不正な細工を防ぐことができる。このため、導電性線材１２ｂによる破壊異常の検知性能を保持することが可能となる。
【００８６】
さらに、本体１のカード入出口部１ａに対してカード挿入排出口ユニット１０’が着脱自在になっているので、該ユニット１０’をカード入出口部１ａから離脱させて、保守作業を容易に行うことができる。
【００８７】
本発明は、以上述べた実施形態以外にも、種々の実施形態を採用することができる。たとえば、第１実施形態では、図３に示したように、矩形状の補強部材１２を例に挙げたが、本発明はこれのみに限定するものではない。これ以外に、たとえば、図９に示すように、２つのＵ字形の芯材２２ａを矩形状に組み合わせて、該芯材２２ａを取り囲むように線材２２ｂで縛ることで、矩形状の補強部材２２を形成してもよい。
【００８８】
また、たとえば、図１０に示すように、Ｕ字形の芯材３２ａと平板からなる芯材３２ａ’を矩形状に組み合わせて、該芯材３２ａ、３２ａ’を取り囲むように線材３２ｂで縛ることで、矩形状の補強部材３２を形成してもよい。
【００８９】
そして、図９および図１０に示すように、芯材２２ａ、３２ａ、３２ａ’で開口部１０ａを取り囲むように、補強部材２２、３２を樹脂部１４に埋設すればよい。これにより、補強部材２２、３２の強度を上げて、カード挿入排出口ユニット１０の破壊に対する堅牢性を一層高くすることができる。
【００９０】
また、たとえば、図１１に示すように、矩形状の芯材４２ａを取り囲むように線材４２ｂを巻き付けて、補強部材４２を構成しても、補強部材４２の強度向上に有効である。
【００９１】
また、図９〜図１１に示す実施形態で、線材２２ｂ、３２ｂ、４２ｂを導電性の有る材質で形成して、これに電流を流すことにより、破壊による異常検知用のセンサとして用いてもよい。
【００９２】
また、以上の実施形態では、カード挿入排出口ユニット１０、１０’を、ねじ１６によりカード入出口部１ａに着脱可能に装着した例を挙げたが、本発明はこれのみに限定するものではない。たとえば、カード挿入排出口ユニット１０、１０’とカード入出口部１ａの一方に設けたフック片（図示省略）を、他方に設けた凹部や切欠きなど（図示省略）に係合することにより、カード挿入排出口ユニット１０、１０’をカード入出口部１ａに着脱可能に装着してもよい。
【００９３】
さらに、以上の実施形態では、磁気カード、ＩＣカード、および磁気ストライプ付ＩＣカードのいずれをも取り扱うことのできるカード処理装置１００およびカード挿入排出口ユニット１０、１０’に、本発明を適用した。然るに、本発明はこれ以外にも、たとえば磁気カード専用またはＩＣカード専用のカード処理装置およびカード挿入排出口ユニットに適用することが可能である。
【符号の説明】
【００９４】
１    本体
１ａ  カード入出口部
４    情報処理部
４ａ  磁気ヘッド
４ｂ  ＩＣ接点ユニット
５    カード搬送部
１０、１０’  カード挿入排出口ユニット
１０ａ  開口部
１０ｍ  溝部
１１ｂ  電流供給部
１１ｃ  導通監視部
１２、１２’、２２、３２、４２  補強部材
１２ａ、２２ａ、３２ａ、４２ａ  芯材
１２ｂ  導電性線材
２２ｂ、３２ｂ、４２ｂ  線材
１４、１４’  樹脂部
１４ａ  第１樹脂
１４ｂ  第２樹脂
２０    カード
１００  カード処理装置
【図１】
2014037975.tif 000003
【図２】
2014037975.tif 000004
【図３】
2014037975.tif 000005
【図４】
2014037975.tif 000006
【図５】
2014037975.tif 000007
【図６】
2014037975.tif 000008
【図７】
2014037975.tif 000009
【図８】
2014037975.tif 000010
【図９】
2014037975.tif 000011
【図１０】
2014037975.tif 000012
【図１１】
2014037975.tif 000013
【手続補正書】
【提出日】平成25年3月1日(2013.3.1)
【手続補正１】
【補正対象書類名】特許請求の範囲
【補正対象項目名】全文
【補正方法】変更
【補正の内容】
【特許請求の範囲】
【請求項１】
カード処理装置の本体の外側に装着されて、カード挿入排出口を構成するカード挿入排出口ユニットであって、
カードを挿入および排出する開口部と、
前記開口部を形成し、前記開口部を取り囲む溝部を有する第１樹脂と、
前記溝部に充填された、前記第１樹脂より硬質の第２樹脂と、を備えた、ことを特徴とするカード挿入排出口ユニット。
【請求項２】
請求項１に記載のカード挿入排出口ユニットにおいて、
前記溝部に嵌め込まれた補強部材をさらに備え、
前記補強部材が、前記第２樹脂に埋設されている、ことを特徴とするカード挿入排出口ユニット。
【請求項３】
請求項２に記載のカード挿入排出口ユニットにおいて、
前記補強部材の材質は、鉄、ステンレス、フェライト、パーマロイ、珪素鋼鈑、またはアルミニウムである、ことを特徴とするカード挿入排出口ユニット。
【請求項４】
請求項２または請求項３に記載のカード挿入排出口ユニットにおいて、
前記補強部材は、前記開口部を取り囲む芯材と、該芯材を取り囲む線材と、を含む、ことを特徴とするカード挿入排出口ユニット。
【請求項５】
請求項２ないし請求項４のいずれかに記載のカード挿入排出口ユニットにおいて
前記補強部材は、導電性線材を含み、
前記導電性線材に電流を流す電流供給部をさらに備えた、ことを特徴とするカード挿入排出口ユニット。
【請求項６】
請求項５に記載のカード挿入排出口ユニットにおいて、
前記導電性線材に流した電流の導通状態を監視する導通監視部をさらに備えた、ことを特徴とするカード挿入排出口ユニット。
【請求項７】
請求項１ないし請求項６のいずれかに記載のカード挿入排出口ユニットにおいて、
カード処理装置の本体のカード入出口部に対して着脱自在である、ことを特徴とするカード挿入排出口ユニット。
【請求項８】
請求項１ないし請求項７のいずれかに記載のカード挿入排出口ユニットと、
本体内でカードに対して情報の読み取りまたは書き込みの処理を行う情報処理部と、
本体内でカードを搬送するカード搬送部と、を備えた、ことを特徴とするカード処理装置。
【手続補正書】
【提出日】平成27年9月11日(2015.9.11)
【手続補正１】
【補正対象書類名】特許請求の範囲
【補正対象項目名】全文
【補正方法】変更
【補正の内容】
【特許請求の範囲】
【請求項１】
カード処理装置の本体の外側に装着されて、カード挿入排出口を構成するカード挿入排出口ユニットであって、
カードを挿入および排出する開口部と、
前記開口部を形成し、前記開口部を取り囲む溝部を有する第１樹脂と、
前記溝部に充填された、前記第１樹脂より硬質の第２樹脂と、
前記溝部に嵌め込まれた補強部材をさらに備え、
前記補強部材が、前記第２樹脂に埋設されている、ことを特徴とするカード挿入排出口ユニット。
【請求項２】
請求項１に記載のカード挿入排出口ユニットにおいて、
前記補強部材の材質は、鉄、ステンレス、フェライト、パーマロイ、珪素鋼鈑、またはアルミニウムである、ことを特徴とするカード挿入排出口ユニット。
【請求項３】
請求項１または請求項２に記載のカード挿入排出口ユニットにおいて、
前記補強部材は、前記開口部を取り囲む芯材と、該芯材を取り囲む線材と、を含む、ことを特徴とするカード挿入排出口ユニット。
【請求項４】
請求項１ないし請求項３のいずれか一項に記載のカード挿入排出口ユニットにおいて、
前記補強部材は、導電性線材を含み、
前記導電性線材に電流を流す電流供給部をさらに備えた、ことを特徴とするカード挿入排出口ユニット。
【請求項５】
請求項４に記載のカード挿入排出口ユニットにおいて、
前記導電性線材に流した電流の導通状態を監視する導通監視部をさらに備えた、ことを特徴とするカード挿入排出口ユニット。
【請求項６】
請求項１ないし請求項５のいずれか一項に記載のカード挿入排出口ユニットにおいて、
カード処理装置の本体のカード入出口部に対して着脱自在である、ことを特徴とするカード挿入排出口ユニット。
【請求項７】
請求項１ないし請求項６のいずれか一項に記載のカード挿入排出口ユニットと、
本体内でカードに対して情報の読み取りまたは書き込みの処理を行う情報処理部と、
本体内でカードを搬送するカード搬送部と、を備えた、ことを特徴とするカード処理装置。
【国際調査報告】
2014037975.tif 000014
2014037975.tif 000015